(57)【要約】【課題】移動通信システムにおいて、ページング周期を可変とし、その周期を長く設定することにより、移動局の消費電力を小さくし、電池の使用時間を延ばすことにある。【解決手段】ネットワーク側がページング送信周期１２を可変し、その周期を長く設定し、移動局はその周期に合わせてページング待受けを行うことにより、スリープ状態が増える。また、ネットワーク側は、ページング送信周期に対応する接続所要時間メッセージ１４を発呼側の発信者に連絡する。【選択図】  図４
2004247801.tif 000002
【特許請求の範囲】
【請求項１】
移動局と、この移動局と無線通信を行う無線基地局を有する無線アクセスネットワークと、この無線アクセスネットワークと電話網との間に接続され、前記無線基地局と接続関係にある前記移動局の位置を管理する移動交換制御手段を有するコアネットワークとを有する移動通信システムであって、
前記移動交換制御手段は、
前記移動局に着信を通知するページングの送信周期を可変設定する手段と、
前記手段によって設定されたページング送信周期を前記無線アクセスネットワークを介して前記移動局に伝送する手段とを有し、
前記移動局は、
受信した前記ページング送信周期に合わせてページング待受け処理を行う手段を有する、
ことを特徴とする移動通信システム。
【請求項２】
移動局と、この移動局と無線通信を行う無線基地局を有する無線アクセスネットワークと、この無線アクセスネットワークと電話網との間に接続され、前記無線基地局と接続関係にある前記移動局の位置を管理する移動交換制御手段を有するコアネットワークとを有する移動通信システムであって、
前記移動交換制御手段は、
前記移動局に着信を通知するページングの送信周期を可変設定する手段と、
前記手段によって設定されたページング送信周期を前記無線アクセスネットワークを介して前記移動局に伝送する手段と、
前記ページング送信周期および前記ページング送信周期に対応するメッセージを生成して記憶する手段と、
前記電話網から前記移動局に対する着信呼を受けた時に、前記記憶手段から当該移動局に対応するメッセージを読み出して前記電話網の発信側へ通知する手段とを有し、
前記移動局は、
前記移動交換制御手段からの前記ページング送信周期に合わせてページング待受け処理を行うことを特徴とする移動通信システム。
【請求項３】
前記移動交換制御手段は、所定のエリア毎に前記移動局に対する着信履歴を記憶する着信履歴データベースを有し、前記着信履歴データベースに記憶された着信履歴から着信回数が少ない時間帯を求め、当該時間帯の前記ページング送信周期が大きくなるよう設定することを特徴とする請求項１又は請求項２記載の移動通信システム。
【請求項４】
前記移動交換制御手段から前記移動局へ送信されるページング又は報知チャネル情報に、前記ページング送信周期を含ませて前記移動局へ送信することを特徴とする請求項１又は請求項２記載の移動通信システム。
【請求項５】
移動局と、この移動局と無線通信を行う無線基地局を有する無線アクセスネットワークと、この無線アクセスネットワークと電話網との間に接続され前記無線基地局と接続関係にある移動局の位置を管理する移動交換制御手段とを有するコアネットワークとを有する移動通信システムであって、
前記移動局は、
前記移動交換制御手段から送信される着信を通知するページングの待受け周期を可変設定する手段と、
前記ページング待受け周期に合わせてページング待受け処理を行う手段と、
前記ページング待受け周期を前記無線ネットワークを介して前記移動交換制御手段に伝送する手段とを有し、
前記移動交換制御手段は、
前記移動局毎に、前記ページング待受け周期を記憶すると共に、前記ページング待受け周期に対応するメッセージを生成して記憶する手段と、
前記電話網から前記移動局に対する着信呼を受けた時に、前記記憶手段から当該移動局に対応するメッセージを読み出して前記電話網の発信側へ通知する手段とを有する
ことを特徴とする移動通信システム。
【請求項６】
前記移動局は、自局宛の着信履歴を記憶する着信履歴データベースを有し、前記着信履歴データベースに記憶された着信履歴から着信回数が少ない時間帯を求め、当該時間帯の前記ページング待受け周期が大きくなるよう設定することを特徴とする請求項５記載の移動通信システム。
【請求項７】
前記移動局は、前記移動局から前記移動交換制御手段へ前記ページング待受け周期の変更要求を送信し、前記移動交換制御手段からページング待受け周期の登録完了の通知を受けたとき、当該ページング待受け周期で前記ページングの待受け処理を行うことを特徴とする請求項５記載の移動通信システム。
【請求項８】
無線アクセスネットワークおよびコアネットワークを介して移動局と電話網との間の通信を行う移動通信システムにおいて、
前記コアネットワークを構成する移動交換局は、
前記移動局に着信を通知するページングの送信周期を可変設定する手段と、
前記可変設定手段によって設定された前記ページング送信周期を前記ページング又は報知チャネル情報に含ませて前記移動局に送信すると共に、前記ページング送信周期に基づいて前記移動局に対し前記ページングを行う手段と
を具備することを特徴とする移動通信システムの移動交換局。
【請求項９】
無線アクセスネットワークおよびコアネットワークを介して移動局と電話網との間の通信を行う移動通信システムにおいて、
前記コアネットワークを構成する移動交換局は、
前記移動局に着信を通知するページングの送信周期を可変設定する手段と、
前記可変設定手段によって設定された前記ページング送信周期、および前記ページング送信周期に対応するメッセージを生成して記憶する手段と、
前記電話網から前記コアネットワークへ前記移動局に対する着信呼を受けた時に、前記記憶手段からの前記移動局への前記メッセージを前記電話網の発信側へ通知する手段と、
前記記憶手段からの前記ページング送信周期を前記ページング又は報知チャネル情報に含ませて前記移動局に送信すると共に、前記ページング送信周期に基づいて前記移動局に対し前記ページングを行う手段と
を有することを特徴とする移動通信システムの移動交換局。
【請求項１０】
前記移動交換局は、所定のエリア毎に前記移動局に対する着信履歴を記憶する着信履歴データベースを有し、前記着信履歴データベースに記憶された着信履歴から着信回数が少ない時間帯を求め、当該時間帯の前記ページング送信周期が大きくなるよう設定することを特徴とする請求項８又は請求項９記載の移動通信システムの移動交換局。
【請求項１１】
コアネットワークを構成する移動交換局から送信される着信を通知するページングの待受け周期を可変設定する手段と、
前記ページング待受け周期に合わせてページング待受け処理を行う手段と、
を有する移動通信システムの移動局。
【請求項１２】
前記移動局は、
前記ページング待受け周期又は前記ページング待受け周期に対応するメッセージを表示する手段と、
を更に有することを特徴とする請求項１１記載の移動通信システムの移動局。
【請求項１３】
無線アクセスネットワークおよびコアネットワークを介して移動局と電話網との間の通信を行う移動通信システムにおいて、
前記移動局は、
前記コアネットワークを構成する移動交換局から送信される着信を通知するページングの待受け周期を可変設定する手段と、
前記ページング待受け周期に合わせてページング待受け処理を行う手段と、
前記ページング待受け周期を前記無線アクセスネットワークを介して前記移動交換局に伝送する手段と
を有することを特徴とする移動通信システムの移動局。
【請求項１４】
前記移動局は、自局宛の着信履歴を記憶する着信履歴データベースを有し、前記着信履歴データベースに記憶された着信履歴から着信回数が少ない時間帯を求め、当該時間帯の前記ページング待受け周期が大きくなるよう設定することを特徴とする請求項１１乃至１３のいずれか１項に記載の移動通信システムの移動局。
【請求項１５】
前記移動局は、前記移動局から前記移動交換局へ前記ページング待受け周期の変更要求を送信し、前記移動交換局からページング待受け周期の登録完了の通知を受けたとき、当該ページング待受け周期で前記ページングの待受け処理を行うことを特徴とする請求項１１乃至１３のいずれか１項に記載の移動通信システムの移動局。
【発明の詳細な説明】
【０００１】
【発明の属する技術分野】
本発明は、移動通信システム、同システムの移動交換局、同システムの移動局、および同システムのページング制御方法に関する。
【０００２】
【従来の技術】
従来技術として、ＷＣＤＭＡ方式の移動通信システムがある（例えば、非特許文献１参照。）。
【０００３】
図１５は、上記文献に紹介される一般的なＷＣＤＭＡ方式のネットワークを示し、図１６は、位置登録と認証のシーケンスを示し、図１７は、着信呼のシーケンスを示し、図１８は、移動局の動作状態のタイミングを示す。以下、図面を参照して従来の移動通信システムについて説明する。
【０００４】
図１５に示すように、移動局１０１は無線アクセスネットワーク１０２との間で無線通信を行う。
【０００５】
無線アクセスネットワーク１０２は、複数の無線基地局１０３と、ＲＮＣ（Ｒａｄｉｏ  Ｎｅｔｗｏｒｋ  Ｃｏｎｔｒｏｌｌｅｒ：無線ネットワーク制御装置）１０４とから構成される。ＲＮＣ１０４は専用回線又はＡＴＭ網等で複数の無線基地局１０３と接続されていて、この複数の無線基地局１０３とそれに接続される移動局１０１を制御する。ＲＮＣ１０４は、さらにコアネットワーク１０５に接続される。一般にＲＮＣ１０４は、無線アクセスネットワーク１０２には複数存在する。
【０００６】
コアネットワーク１０５は、無線アクセスネットワーク１０２と電話網１０９との間の接続制御、音声・データの伝送、加入者の管理、他の電話網との接続等を行う。
【０００７】
コアネットワーク１０５のＭＳＣ／ＶＬＲ（Ｍｏｂｉｌｅ  Ｓｗｉｔｃｈｉｎｇ  Ｃｅｎｔｅｒ：移動交換局）１０６は呼の制御を行い、また移動局１０１の位置を管理するＶＬＲ（Ｖｉｓｉｔｏｒ  Ｌｏｃａｔｉｏｎ  Ｒｅｇｉｓｔｅｒ）の機能も合わせて持っている。ＨＬＲ（Ｈｏｍｅ  Ｌｏｃａｔｉｏｎ  Ｒｅｇｉｓｔｅｒ：ホームロケーションレジスタ）１０７は加入者情報の管理を行う。ＧＭＳＣ（Ｇａｔｅｗａｙ  Ｍｏｂｉｌｅ  Ｓｗｉｔｃｈｉｎｇ  Ｃｅｎｔｅｒ：関門移動交換局）１０８は他の電話網１０９との接続処理を行う。一般にＭＳＣ／ＶＬＲ１０６は、１つのコアネットワーク１０５には複数存在する。
【０００８】
この様な移動通信システムでは、移動局１０１が動き回るので、その位置をコアネットワーク１０５に登録する必要があり、これが位置登録手順である。移動局１０１の位置は無線アクセスネットワーク１０２を分割して、ＬＡ（ＬｏｃａｔｉｏｎＡｒｅａ）と呼ばれる単位で管理される。通常複数の無線基地局１０３をまとめて、１つのＬＡとしている（図示せず）。
【０００９】
図１６は、上記移動通信システムにおける位置登録と認証手順のシーケンスであり、移動局１０１が新しいＬＡに入った時には、ＭＳＣ／ＶＬＲ１０６に対して新たに位置登録要求ａ１を行う。これを受けて、ＭＳＣ／ＶＬＲ１０６はＨＬＲ１０７に位置登録要求ａ２を行う。この時、必要があれば加入者認証ａ３を行う。認証とは、位置登録をする移動局１０１を正規の加入者が使っていることを検証する手順である。
【００１０】
認証が正しく行われれば、ＨＬＲ１０７はＭＳＣ／ＶＬＲ１０６に位置登録完了の通知ａ４を返し、ＭＳＣ／ＶＬＲ１０６は移動局１０１に加入者の認証ａ５および位置登録完了の通知ａ６を返す。以上の手順で、ＭＳＣ／ＶＬＲ１０６は移動局１０１の新しい位置を新しいＬＡとして登録し、また、ＨＬＲ１０７はこの加入者がどのＭＳＣ／ＶＬＲ１０６に存在するかの登録を行い、位置登録と認証手順が完了する。
【００１１】
図１７は、上記移動通信システムにおける呼を着信する場合のシーケンスである。まず、発信者が複数の移動局１０１の中の特定の移動局（以下、移動局Ａと称する）に電話をかけると、発信呼（図示せず）が行われて、電話網１０９から移動局Ａを呼び出すための着信呼ｂ１がＧＭＳＣ１０８に送られる。
【００１２】
ＧＭＳＣ１０８はＨＬＲ１０７に対して移動局Ａの位置の問合せｂ２を行い、移動局Ａが存在するＭＳＣ／ＶＬＲ１０６へのルート情報であるルーチング情報ｂ３を取得し、このＭＳＣ／ＶＬＲ１０６へ呼をルーチングｂ４する。
【００１３】
ＭＳＣ／ＶＬＲ１０６は、移動局１０１を呼び出すためのページングを所定の周期ｍの間隔でページング１乃至ページング４のように行っており、複数の移動局１０１はこれに同期して同じ周期ｍで待ち受けを行っている。
【００１４】
ＭＳＣ／ＶＬＲ１０６には移動局ＡがいるＬＡの情報が上述した手順で格納されているので、ＭＳＣ／ＶＬＲ１０６が呼のルーチングｂ４を受信すると、移動局ＡがいるＬＡ内の全ての無線基地局１０３を経由してＬＡ内の全ての移動局１０１に対して、ページング４のタイミングで、ページング４の中に移動局Ａの情報を入れて送信される。
【００１５】
なお、この送信は、待ち受け中に発生したリセレクション等により、移動局Ａが受信できない場合を想定して複数回行なわれることもある。
【００１６】
そして移動局Ａは自分への呼び出しであることを確認して、応答ｂ５をＭＳＣ／ＶＬＲ１０６に返すと、ＭＳＣ／ＶＬＲ１０６と移動局Ａとの間で、制御用と通話用の無線チャネルの設定ｂ６が行われ、この無線チャネル上で移動局Ａの加入者に着信を知らせ、その後、移動局Ａの加入者と発信者との間で通話ｂ７を開始する。
【００１７】
図１８は、移動局Ａの動作状態を表すタイミング図であり、移動局ＡはＭＳＣ／ＶＬＲ１０６から送信されるページング送信周期ｍに同期して、ページング待受け周期ｍで待受け、Ｔ１のタイミングで動作状態となってページング情報の解析を行い、自分への呼び出しではないと判断した場合はＴ２の期間はスリープ状態となる。
【００１８】
待ち受け中はこれを繰り返しており、ページング１乃至３は自分への呼び出しではない状態であり、ページング４で自分への呼び出しがあると動作状態を継続して通話を開始する。
【００１９】
このＴ１の動作状態の時は消費電力が大きい状態であり、期間Ｔ２のスリープ状態の時は消費電力が小さい状態である。ゆえに、期間Ｔ２が小さい（周期ｍが小さい）ほど移動局１０１の待ち受け中の平均消費電力は大きくなり、期間Ｔ２が大きい（周期ｍが大きい）ほど移動局１０１の待ち受け中の平均消費電力は小さくなる。
【００２０】
【非特許文献１】
本多美雄・他著「次世代通信のしくみ」株式会社毎日コミュニケーションズ出版、２００２年４月１日、ｐ．３７−６７
【００２１】
【発明が解決しようとする課題】
上述した従来の移動通信システムでのページングにおいては、ページング周期は固定値であり、且つ周期が短く設定されており、そのため移動局の消費電力が大きく、移動局の電池の使用時間が短いという問題があった。
【００２２】
本発明の目的は、上記問題点を解決するためになされたもので、ページング周期を可変とし、その周期を長く設定することにより、移動局の消費電力を小さくし、電池の使用時間を延ばすことができる移動通信システム、同システムの移動交換局、同システムの移動局、および同システムのページング制御方法を提供する。
【００２３】
【課題を解決するための手段】
上記目的を達成するために、本発明の移動通信システムは、移動局と、この移動局と無線通信を行う無線基地局を有する無線アクセスネットワークと、この無線アクセスネットワークと電話網との間に接続され、前記無線基地局と接続関係にある前記移動局の位置を管理する移動交換制御手段を有するコアネットワークとを有する移動通信システムであって、前記移動交換制御手段は、前記移動局に着信を通知するページングの送信周期を可変設定する手段と、前記手段によって設定されたページング送信周期を前記無線アクセスネットワークを介して前記移動局に伝送する手段とを有し、前記移動局は、受信した前記ページング送信周期に合わせてページング待受け処理を行う手段を有する、ことを特徴とする。
【００２４】
また、移動局と、この移動局と無線通信を行う無線基地局を有する無線アクセスネットワークと、この無線アクセスネットワークと電話網との間に接続され、前記無線基地局と接続関係にある前記移動局の位置を管理する移動交換制御手段を有するコアネットワークとを有する移動通信システムであって、前記移動交換制御手段は、前記移動局に着信を通知するページングの送信周期を可変設定する手段と、前記手段によって設定されたページング送信周期を前記無線アクセスネットワークを介して前記移動局に伝送する手段と、前記ページング送信周期および前記ページング送信周期に対応するメッセージを生成して記憶する手段と、前記電話網から前記移動局に対する着信呼を受けた時に、前記記憶手段から当該移動局に対応するメッセージを読み出して前記電話網の発信側へ通知する手段とを有し、前記移動局は、前記移動交換制御手段からの前記ページング送信周期に合わせてページング待受け処理を行うことを特徴とする。
【００２５】
【発明の実施の形態】
以下、本発明の実施の形態を図面を参照して説明する。
【００２６】
（第１の実施の形態）
図１〜図７は、本発明を移動通信システムに適用した第１の実施の形態を示す図である。なお、移動通信システムとしての基本構成は、図１５に示したものと同じであるので、図１５に該当する構成は同一番号を参照して説明する。
【００２７】
図１は、本発明におけるＭＳＣ／ＶＬＲ１０６の主要な機能ブロック図を示すもので、ＭＳＣ／ＶＬＲ１０６は、位置登録エリアＬＡ毎の着信履歴を記録する着信履歴ＤＢ１と、処理部２から構成される。
【００２８】
図２は、本発明のＭＳＣ／ＶＬＲ１０６の動作のフローチャートを示し、電話網１０９を介してＭＳＣ／ＶＬＲ１０６へ着信があると、着信履歴ＤＢ１の該当するエリアＬＡ毎に何時何分に着信があったかの着信履歴を記録する（ステップＳ１０）。
【００２９】
それを基に、図３に示すように、１日の各時間帯の着信回数を記録したデータを作成し、これが着信頻度を表す（ステップＳ１１）。
【００３０】
次に、着信回数について閾値Ｘを設定すると、この閾値Ｘより低い着信回数の時間帯は１時〜５時ということがわかり、この時間帯はページング送信周期を長い周期ｎに設定する（ステップＳ１２）。
【００３１】
なお、ページング送信周期の設定は、前述の閾値Ｘで二分するだけではなく、さらに木目細かく設定してもよい。また、時間単位ではなく、日単位でもよい。また着信頻度に基づき、システムの管理者が手動で、ＬＡ毎のページング送信周期を設定してもよい。
【００３２】
次に、ＭＳＣ／ＶＬＲ１０６はＨＬＲ１０７に対して、ＨＬＲ１０７に予め内蔵するデータベースの送信周期を長くするための要求を出す（ステップＳ１３）。
【００３３】
図４は、ＨＬＲ１０７内のページング送信周期のデータベース１０の内容を示し、位置登録エリアＬＡ１１に対応してページング送信周期１２および接続所要時間メッセージ１４を格納するように構成されている。
【００３４】
図５はデータベース１０のページング送信周期の変更シーケンスを示し、ＭＳＣ／ＶＬＲ１０６はデータベース１０の位置登録エリアＬＡ１１毎にページング送信周期を設定要求することができる。例えば、図３に示すデータが、エリアＬＡ１についてのデータとすると、図４の符号１３に示すように、エリアＬＡ１のページング送信周期を周期ｍから周期ｎに変更（ｍ＜ｎ）したい場合、ＭＳＣ／ＶＬＲ１０６は時刻１時の時点において、エリアＬＡ１のページング送信周期の変更要求ｃ１をＨＬＲ１０７へ送出する。
【００３５】
ＨＬＲ１０７はデータベース１０の位置登録エリアＬＡ１のページング送信周期の値ｍを値ｎに変更する。また、接続所要時間メッセージ１４についても、符号１５に示すように「接続までＮ秒ほどお待ち下さい」に変更する。
【００３６】
ＭＳＣ／ＶＬＲ１０６は、ＨＬＲ１０７からページング送信周期登録完了の通知ｃ２を受けると、無線アクセスネットワーク１０２を経由してエリアＬＡ１内の全移動局１０１へのページング送出を、ページング４以降について周期ｍから周期ｎに変更してページング５，６を行う。
【００３７】
即ち、ページング４の中にページング送信周期の変更通知を含ませることにより、これを受けた移動局１０１は、図６のタイミング図に示すようにページングの待受け周期ｍを周期ｎに変更して、以後、周期ｎでＭＳＣ／ＶＬＲ１０６からのページングを待ち受ける。これにより、移動局１０１のスリープ状態Ｔ２を長くすることができる。
【００３８】
ＭＳＣ／ＶＬＲ１０６は時刻５時の時点で、エリアＬＡ１のページング送信周期を元の周期ｍに戻す要求を行うが、その処理は上記と同様であるので、その説明は省略する。
【００３９】
なお、ここで、ページング４の中にページング送信周期の変更通知を含ませたが、別の報知チャネル情報を用いて行っても良い。
【００４０】
図７は、本発明の着信時のシーケンスを示し、ＧＭＳＣ１０８が電話網１０９からの着信呼ｄ１を受けると、ＧＭＳＣ１０８はＨＬＲ１０７へ移動局位置の問合せｄ２を送る。今、着信呼に該当する移動局ＡがエリアＬＡ１に存在していると登録してあれば、ＨＬＲ１０７はエリアＬＡ１を管理するＭＳＣ／ＶＬＲ１０６のルーチン情報ｄ３をＧＭＳＣ１０８へ返す。このルーチン情報ｄ３の中には、エリアＬＡ１の接続所要時間メッセージ１５の「接続までＮ秒ほどお待ち下さい」情報も含んでいる。
【００４１】
その後、ＧＭＳＣ１０８はエリアＬＡ１を管理するＭＳＣ／ＶＬＲ１０６へ呼をルーチングｄ４すると共に、「接続までＮ秒ほどお待ち下さい」情報ｄ５を発信側へメッセージとして送出する。
【００４２】
ＭＳＣ／ＶＬＲ１０６はエリアＬＡ１に対するページングは周期ｎで行っており、ＧＭＳＣ１０８からＭＳＣ／ＶＬＲ１０６へ呼をルーチングｄ４した後のページング３の中に、移動局Ａの情報を入れて送出する。
【００４３】
エリアＬＡ１内の全移動局１０１はページング３をチェックし、該当する移動局Ａがページング３に対して応答ｄ６を返し、これによりＭＳＣ／ＶＬＲ１０６と移動局Ａとの間の制御用・通話用チャネルの設定ｄ７が行われ、その後、移動局Ａの加入者と発信者との間で通話ｄ８が開始される。
【００４４】
ここで、ＧＭＳＣ１０８からＭＳＣ／ＶＬＲ１０６へ呼をルーチングするタイミングと、ＭＳＣ／ＶＬＲ１０６のページング１乃至３の送信タイミングとは非同期であり、発信者は最大、ページング送信周期ｎだけ待たされることになるので、「接続までＮ秒ほどお待ち下さい」の情報ｄ５を発信側に通知することにより操作者へのサービスが向上する。
【００４５】
上述した実施の形態では、「接続までＮ秒ほどお待ち下さい」という情報は、ＨＬＲ１０７内のデータベース１０の位置登録エリアＬＡ１に対応する符号１５に記憶しているが、ＨＬＲ１０７がルーチン情報ｄ３の中にページング送信周期の情報ｎを含ませて、ＧＭＳＣ１０８がそれを基に「接続までＮ秒ほどお待ち下さい」を作成してもよい。
【００４６】
また、上述した実施の形態では、発呼側の発信者に対して「接続までＮ秒ほどお待ち下さい」等のメッセージを行うが、発呼に対する応答がそれほど遅れない場合には省略してもよい。
【００４７】
また、上述した実施の形態では、エリアＬＡ毎にページング送信周期を変更したが、エリアＬＡを複数まとめて行ってもよいし、エリアＬＡに無関係に全システム共通で変更してもよい。
【００４８】
上述した実施の形態の移動通信システムによれば、ページング送信周期を簡単な手順により長くすることができ、これにより移動局の消費電力を小さくし、電池の使用時間を延ばすことができる。
【００４９】
また、ページング送信周期を長い値に設定したことで、発呼に対する応答が遅れるので、発呼側の発信者に対して「接続までＮ秒ほどお待ち下さい」等のメッセージを送ることにより、安心感を持たせることができる。
【００５０】
（第２の実施の形態）
図８〜図１４は、本発明を移動通信システムに適用した第２の実施の形態を示す図である。
【００５１】
図８は、本発明による移動局１０１の主要な機能ブロック図を示し、移動局１０１には着信履歴を記録する着信履歴ＤＢ２１と、処理部２２と、表示部２３から構成される。
【００５２】
図９は、処理部２２の動作を示すフローチャートであり、移動局１０１へ着信があると、処理部２２は何時何分に着信があったかの着信履歴を着信履歴ＤＢ２１に記録する（ステップ２０）。
【００５３】
それを基に、図１０に示すように、１日の各時間帯の着信回数を記録したデータを作成し、これが着信頻度を表す（ステップＳ２１）。
【００５４】
次に、着信回数について閾値Ｘを設定すると、この閾値Ｘより低い着信回数の時間帯は１時〜５時ということがわかり、この時間帯について、図１１に示すようにページング待受け周期を長い周期ｎとして設定する（ステップＳ２２）。
【００５５】
なお、ページング送信周期の設定は、閾値Ｘで二分するだけではなく、さらに木目細かく設定してもよい。また、時間単位ではなく、日単位でもよい。また着信頻度に基づき、移動局の操作者が手動で、ページング待受け周期を設定してもよい。
【００５６】
そして、処理部２２はこのページング待受け周期に対応する接続所要時間メッセージを作成して表示部２３に表示する（ステップＳ２３）。
【００５７】
次に、ＭＳＣ／ＶＬＲ１０６に対して、ＨＬＲ１０７に内蔵するデータベースの待受け周期を長くするための要求を出す（ステップＳ２４）。
【００５８】
図１１に示すようにページング送信周期は周期ｍ毎に送出されており、通常の移動局１０１ではページングを周期ｍで待ち受けするように動作するが、本発明によって待受け周期として周期ｎと設定した特定の移動局１０１は、途中のページングを飛ばして周期ｎで待ち受けするように動作する。
【００５９】
図１２は、ＨＬＲ１０７内のページング待受け周期のデータベース３０を示し、移動局３１に対応してページング待受け周期３２および接続所要時間メッセージ３４を格納するように構成されている。
【００６０】
図１３は、処理部２２によるページング待受け周期変更のシーケンスを示し、移動局１０１の中の特定の移動局（以下、移動局１と称する）がページング待受け周期をｍからｎに変更（ｍ＜ｎ）したい場合、移動局１は時刻１時の時点でページング待受け周期の変更要求ｅ１を無線アクセスネットワーク１０２を経由してＭＳＣ／ＶＬＲ１０６へ送出し、それを受けてＭＳＣ／ＶＬＲ１０６はページング待受け周期の変更要求ｅ２をＨＬＲ１０７へ送出する。
【００６１】
ＨＬＲ１０７は、符号３３に示すようにデータベース３０の移動局１のページング待受け周期が記録されている値ｍを値ｎに変更する。また、符号３５に示すように接続所要時間に関するメッセージ３４の内容を周期ｎに合わせた内容「接続までＮ秒ほどお待ち下さい」に変更する。
【００６２】
ＭＳＣ／ＶＬＲ１０６は、ページング待受け周期登録完了の通知ｅ３をＨＬＲ１０７から受けると、該当の移動局１のページング待受け周期登録完了の情報をページング４の中に含めて送出する。
【００６３】
これ以降、ＭＳＣ／ＶＬＲ１０６は、移動局１に対するページングの送信周期をｎ／ｍ倍以上に設定する。
【００６４】
エリア内の全移動局１０１はページング４をチェックし、該当する移動局１の処理部２２が自分のページング待受け周期を周期ｎに変更する。以後、移動局１では周期ｎの間のページング５乃至ページングＳに対しては何も動作せず、周期ｎ後のページングＴに対して、動作状態となる。これにより、移動局１のスリープ状態Ｔ２を長く設定することができる。
【００６５】
同様に、時刻５時に移動局１から元の周期ｍに戻す要求を行うが、その処理は上記と同様であるので、その説明は省略する。
【００６６】
なお、ここで、ページング待受け周期登録完了の情報をページング４に含めて送出したが、別の報知チャネル情報を用いて行っても良い。
【００６７】
図１４は、第２の実施形態の着信時のシーケンスを示し、ページング待受け周期を周期ｎに変更した移動局１に対して着信呼があった場合を示す。
【００６８】
ＧＭＳＣ１０８が電話網１０９から移動局１を呼び出すための着信呼ｆ１を受けると、ＧＭＳＣ１０８はＨＬＲ１０７へ移動局１の位置の問合せｆ２を送る。ＨＬＲ１０７は、移動局１を管理するＭＳＣ／ＶＬＲ１０６のルーチン情報ｆ３をＧＭＳＣ１０８へ返す。このルーチン情報ｆ３の中には、移動局１の接続所要時間メッセージ３５の「接続までＮ秒ほどお待ち下さい」情報も含んでいる。
【００６９】
ＧＭＳＣ１０８は移動局１を管理するＭＳＣ／ＶＬＲ１０６へ呼をルーチングｆ４すると共に、「接続までＮ秒ほどお待ち下さい」情報ｆ５を発信側へメッセージとして送出する。
【００７０】
ＭＳＣ／ＶＬＲ１０６はエリアＬＡ１へのページングは送信周期ｍの間隔で行っており、ＧＭＳＣ１０８からＭＳＣ／ＶＬＲ１０６へ呼をルーチングｆ４した後、ページング６以降の周期ｍのページングの中に、移動局１の情報を入れて送出する。
【００７１】
エリアＬＡ１内の全移動局１０１はそれぞれ登録されたページング待受け周期の間隔で待受けているが、移動局１はページング待受け周期ｎで待受けており、その待受けタイミングがページング４およびページングＴのタイミングとすると、ページング６乃至ページングＳの中の自分への呼び出しは見落とすことになり、ページングＴで自分への呼び出しを確認して、応答ｆ６をＭＳＣ／ＶＬＲ１０６へ返し、これによりＭＳＣ／ＶＬＲ１０６と移動局１との間で制御用・通話用チャネルの設定ｆ７が行われ、以降、移動局１の加入者と発信者との間で通話ｆ８が開始される。
【００７２】
ここで、ＧＭＳＣ１０８からＭＳＣ／ＶＬＲ１０６へ呼をルーチングｆ４するタイミングと、移動局１のページング待受け周期ｎとのタイミングは非同期であり、発信者は、最大、ページング待受け周期ｎだけ待たされることになるので、「接続までＮ秒ほどお待ち下さい」の情報ｆ５を事前に発信者に通知することにより操作者へのサービスが向上する。
【００７３】
上述した実施の形態では、「接続までＮ秒ほどお待ち下さい」の情報ｆ５は、ＨＬＲ１０７で作成したが、ルーチン情報ｆ３の中にページング待受け周期情報３２の周期ｎを含ませて、ＧＭＳＣ１０８がそれを基に「接続までＮ秒ほどお待ち下さい」を作成してもよい。
【００７４】
また、上述した実施の形態では、発呼側の発信者に対して「接続までＮ秒ほどお待ち下さい」等のメッセージを行うが、発呼に対する応答がそれほど遅れない場合には省略してもよい。
【００７５】
上述した実施の形態の移動通信システムによれば簡易手順により、移動局のページング待受け周期を長くすることができ、これにより移動局の消費電力を小さくし、電池の使用時間を延ばすことができる。
【００７６】
また、ページング待受け周期を長い値に設定したことで、発呼に対する応答が遅れるので、発呼側の発信者に対して「接続までＮ秒ほどお待ち下さい」等のメッセージを送ることにより、安心感を持たせることができる。
【００７７】
【発明の効果】
このように、本発明によれば、ネットワーク側でページング送信周期を可変とし、その周期を長く設定する、又は、移動局側でページング待受け周期を可変とし、その周期を長く設定することにより、移動局の消費電力を小さくし、電池の使用時間を延ばすことができる。
【００７８】
また、ページング送信周期又はページング待受け周期を長い値に設定したことにより、発呼に対する応答が遅れるが、発呼側の発信者に対して接続時間等のメッセージを送ることにより、安心感を持たせることができる。
【図面の簡単な説明】
【図１】本発明に関わる移動通信システムの第１の実施の形態を示す移動交換局の機能ブロック図。
【図２】図１に示した移動交換局のフローチャート。
【図３】図１に示した移動交換局の着信頻度を表す図。
【図４】本発明に関わる移動通信システムの第１の実施の形態を示すホームロケーションレジスタのページング送信周期のデータベース。
【図５】本発明に関わる移動通信システムの第１の実施の形態を示すページング送信周期変更のシーケンス。
【図６】本発明に関わる移動通信システムの第１の実施の形態を示す移動局の動作状態のタイミング図。
【図７】本発明に関わる移動通信システムの第１の実施の形態を示す着信呼のシーケンス。
【図８】本発明に関わる移動通信システムの第２の実施の形態を示す移動局の機能ブロック図。
【図９】図８に示した移動局のフローチャート。
【図１０】図８に示した移動局の着信頻度を表す図。
【図１１】図８に示した移動局の動作状態のタイミング図。
【図１２】本発明に関わる移動通信システムの第２の実施の形態を示す移動交換局のページング待受け周期のデータベース。
【図１３】本発明に関わる移動通信システムの第２の実施の形態を示すページング待受け周期変更のシーケンス。
【図１４】本発明に関わる移動通信システムの第２の実施の形態を示す着信呼のシーケンス。
【図１５】一般的なＷＣＤＭＡ方式のネットワーク。
【図１６】図１５に示したネットワークの位置登録と認証のシーケンス。
【図１７】従来のネットワークの着信呼のシーケンス。
【図１８】従来の移動局の動作状態のタイミング図。
【符号の説明】
１  着信履歴データベース
２  処理部
１０  ページング送信周期のデータベース
１１  位置登録エリアＬＡの記録
１２  ページング送信周期の記録
１３  ＬＡ１のページング送信周期の記録
１４  接続所要時間メッセージの記録
１５  ＬＡ１の接続所要時間メッセージの記録
２１  着信履歴データベース
２２  処理部
２３  表示部
３０  ページング待受け周期のデータベース
３１  移動局の記録
３２  ページング待受け周期の記録
３３  移動局１のページング待受け周期の記録
３４  接続所要時間メッセージの記録
３５  移動局１の接続所要時間メッセージの記録
１０１  移動局
１０２  無線通信ネットワーク
１０３  無線基地局
１０４  ＲＮＣ
１０５  コアネットワーク
１０６  ＭＳＣ／ＶＬＲ
１０７  ＨＬＲ
１０８  ＧＭＳＣ
１０９  電話網
【図１】
2004247801.tif 000003
【図２】
2004247801.tif 000004
【図３】
2004247801.tif 000005
【図４】
2004247801.tif 000006
【図５】
2004247801.tif 000007
【図６】
2004247801.tif 000008
【図７】
2004247801.tif 000009
【図８】
2004247801.tif 000010
【図９】
2004247801.tif 000011
【図１０】
2004247801.tif 000012
【図１１】
2004247801.tif 000013
【図１２】
2004247801.tif 000014
【図１３】
2004247801.tif 000015
【図１４】
2004247801.tif 000016
【図１５】
2004247801.tif 000017
【図１６】
2004247801.tif 000018
【図１７】
2004247801.tif 000019
【図１８】
2004247801.tif 000020